(57)【要約】    本発明は、微細電流刺激装置および微細電流刺激装置付き履物に係り、さらに詳しくは、人間が動いたり歩いたりして揺れが発生する場合、可動磁石と固定コイルとが相まって微細電流と磁場を半永久的に発生する微細電流刺激装置を提供する一方で、前記微細電流刺激装置を履物に設けて筋肉の収縮と弛緩の繰り返し作用により運動効果を提供し、筋肉の乳酸を低減させて疲労をあまり感じさせず、酵素の変化によって酸化酵素活動を防ぐことができるだけではなく、筋肉における毛細血管の分布が増大するに伴い抹消血管が拡張されて血流増進に役立ち、微細電流刺激による成長板を刺激して身長成長の促進および活性化に寄与することのできる微細電流刺激装置および微細電流刺激装置付き履物に関する。本発明は、内部に空間部が形成された長方形の胴体が配備され、前記空間部の内部には円板状の可動磁石が組み込まれ、前記胴体の外側面には前記可動磁石と相まって微細電流を発生するコイルが巻回され、前記胴体の両先端部には一方の側が閉止されて可動磁石の抜出を防ぐカバーが設けられ、前記コイルの両先端部には人体と接触されて微細電流刺激を加える刺激部材が設けられてなることを特徴とする。【選択図】なし
2013500760.tif 000002
【特許請求の範囲】
【請求項１】
内部に空間部（１６ｂ−１）が形成された筒状の胴体（１６ｂ）が配備され、前記空間部（１６ｂ−１）の内部には円柱状の可動磁石（１５ｂ）が組み込まれ、前記胴体（１６ｂ）の外側面には前記可動磁石（１５ｂ）と相まって微細電流を発生するコイル（１７）が巻回され、前記胴体（１６ｂ）の両先端部には一方の側が閉止されて前記可動磁石（１５ｂ）の抜出を防ぐカバー（１１）（１２）が設けられ、前記カバー（１１、１２）の一方の側の内面には前記可動磁石（１５ｂ）の極性と同じ極性を有する固定磁石（１３）（１４）がそれぞれ設けられた微細電流発生装置において、
前記コイル（１７）の両先端部には、人体と接触されて刺激を加える刺激部材（１８、１９）が接続され、
前記刺激部材（１８）（１９）は、０．０１〜０．５ｍｍ厚さの導電性材質からなる板状の導電性シート（５１）または０．０１〜０．５ｍｍ厚さの導電性材質からなる、繊維状に製織されてなる導電性網（５３）のいずれか一方が配備され、
前記導電性シート（５１）および導電性網（５３）の上面に、人体の足の皮膚と接触する接触突起（５２）が突設され、
前記胴体（１６ｂ）の一方の側には、前記コイル（１７）の抜出を防ぐ凹溝部（１６ｃ）が形成され、
前記可動磁石（１５ｂ）とコイル（１７）とが相まって１０〜２００μＡの微細電流を発生することを特徴とする微細電流刺激装置。
【請求項２】
内部に空間部が形成され、且つ、底面が閉止されている胴体（４１）が配備され、
前記胴体（４１）の底面には第１のコイル（４２）が固設され、前記第１のコイル（４２）の上面には可動磁石（４３）が配設され、前記胴体（４１）の先端部の上側には、前記磁石（４３）の抜出を防ぐカバー（４４）が設けられた微細電流発生装置において、
前記第１のコイル（４２）の両先端部に刺激部材（１８）（１９）が設けられ、
前記刺激部材（１８）（１９）は、０．０１〜０．５ｍｍ厚さの導電性材質からなる板状の導電性シート（５１）または０．０１〜０．５ｍｍ厚さの導電性材質からなる、繊維状に製織されてなる導電性網（５３）のうちのいずれかが配備され、
前記導電性シート（５１）および導電性網（５３）の上面に、人体の足の皮膚と接触される接触突起（５２）が突設され、
前記可動磁石（４３）と第１のコイル（４２）とが相まって１０〜２００μＡの微細電流を発生することを特徴とする微細電流刺激装置。
【請求項３】
前記カバー（４４）の内側面に、第２のコイル（４５）が固設されることを特徴とする請求項２に記載の微細電流刺激装置。
【請求項４】
内部に空間部（１６ｂ−１）が形成された筒状の胴体（１６ｂ）と、前記空間部（１６ｂ−１）の内部に組み込まれる円柱状の可動磁石（１５ｂ）と、前記胴体（１６ｂ）の外側面に設けられて前記可動磁石（１５ｂ）と相まって微細電流を発生するコイル（１７）と、前記胴体（１６ｂ）の両先端部に設けられて前記可動磁石（１５ｂ）の抜出を防ぐカバー（１１）（１２）と、前記カバー（１１）（１２）の一方の側の内面にそれぞれ設けられて前記可動磁石（１５ｂ）の極性と同じ極性を有する固定磁石（１３）（１４）と、を備える微細電流発生装置において、
前記コイル（１７）の両先端部に設けられて人体に刺激を加える刺激部材（１８）（１９）からなり、前記刺激部材（１８）（１９）は、０．０１〜０．５ｍｍ厚さの導電性材質からなる板状の導電性シート（５１）または０．０１〜０．５ｍｍ厚さの導電性材質からなる、繊維状に製織されてなる導電性網（５３）のいずれか一方が配備され、前記導電性シート（５１）および導電性網（５３）の上面に、人体の足の皮膚と接触される接触突起（５２）が突設され、前記可動磁石（１５ｂ）とコイル（１７）とが相まって１０〜２００μＡの微細電流を発生する微細電流刺激装置（１０）を備え、
前記微細電流刺激装置（１０）の胴体（１６ｂ）は、履物（２０）のかかと部、仕上部、舌布部のうちのいずれかの部分に選択的に固設され、前記微細電流刺激装置（１０）の刺激部材（１８）（１９）は、人体の足の経穴と筋肉に接触可能な位置に表面が露出されるように固設されていることを特徴とする微細電流刺激装置付き履物。
【発明の詳細な説明】
【技術分野】
【０００１】
本発明は、微細電流刺激装置および微細電流刺激装置付き履物に係り、さらに詳しくは、人間が動いたり歩いたりして揺れが発生する場合、可動磁石と固定コイルとが相まって微細電流と磁場を半永久的に発生する微細電流刺激装置を提供する一方で、前記微細電流刺激装置を履物に設けて筋肉の収縮と弛緩の繰り返し作用により運動効果を提供し、筋肉の乳酸を低減させて疲労をあまり感じさせず、酵素の変化によって酸化酵素活動を防ぐことができるだけではなく、筋肉における毛細血管の分布が増大するに伴い抹消血管が拡張されて血流増進に役立ち、微細電流刺激による成長板を刺激して身長成長の促進および活性化に寄与することのできる微細電流刺激装置および微細電流刺激装置付き履物に関する。
【背景技術】
【０００２】
一般に、人体には、生体電流という微弱（微細）な電流が流れるが、この電流によって、大脳と臓器機関は互いに情報をやり取りして健康を維持する役割を果たしており、健康が悪化すれば生体電流も弱くなり、しかも、不安定になるだけではなく、微細電流が新陳代謝と血液の循環を盛んにし、結果として、自然治癒力を高める機能があることが知られている。
【０００３】
すなわち、適正な微細電流（約０．０６ｍＡ）は、血液の弱アルカリ性、血管の拡張、血圧の正常化、利尿作用の促進、脈拍の正常化、心臓強化、コラーゲン合成率の増加、白血球の移動促進、殺菌効果、細菌成長の抑制、大腸菌成長の抑制、微細血管の血液循環の増進、タンパク質合成能力の促進、治療速度の２倍増加、疲労回復の促進、自律神経の安定化、発育促進、水分浄化、消臭の効能があることが既に判明されている（Ｂｏｒｇｅｎｓら；Ｂａｒｋｅｒ、ＪａｓｆｆｅおよびＶａｎａｂｌｅ、１９８２；Ｂｏｒｇｅｎｓら、１９８０）（大韓物理治療学会誌第１６券第３号）（韓国専門物理治療学会誌第３券第１号）（大韓物理治療学会誌第６券第１号、江南聖母病院神経外科イ・テギュ、金・ムンチャン教授チームの研究発表論文）。
【０００４】
他の例として、金・ジュン整形外科、クォン・オナン大丘大学再活科学大学物理治療学科、朴・レジュン大丘保健大学物理治療学科、朴・ユンギ全南科学大学物理治療学科、ファン・テヨンの微細電流に関する多くの臨床研究（Ａｌｏｎ、１９８６；Ｂａｒｒｏｎ１９８５；Ｃａｒｌｅｙ、Ｗａｉｎａｐｅｌ、１９８５）と動物実験（Ａｌｖａｒｅ、１９８３；Ｂｏｕｒｇｕｉｇｒｏｎ、１９８７；Ｃｈｅｎｇ、１９８２；Ｓｕｚｕｋｉ、１９８６）を参酌すると、微細電流刺激が組織治癒と修復過程を活性化させるということが分かり、組織または培養細胞を用いた研究は、細胞内のＡＴＰ再合成、タンパク質合成、およびＤＮＡ複製比率が直接的な電気刺激によって高まることを裏付けている。
【０００５】
かような微細電流刺激の効果は、痛症緩和（活動電位の伝播を直接的に遮断して痛症を減少させる）、浮腫減少（体液の移動によって浮腫が減少する）などの効果につながり、大きく、筋肉に対する電気刺激の効果と代謝作用の変化および血管の変化に分けられる。
【０００６】
すなわち、筋肉に対する微細電流刺激の効果としては、筋肉は神経細胞を通じた電気刺激によって動き、電気治療器で筋肉の表面に刺激を与えて所定量の電気が流入すれば、すなわち、筋萎縮（筋肉が消耗されて大きさが減っている状態）の進行を遅らせることができ、収縮と弛緩の繰り返し作用によって運動効果が得られ、しかも、協力筋も活性化される。
【０００７】
上記の代謝作用の変化としては、刺激を受けた筋肉は乳酸が減少されるなど疲労をあまり感じず、酵素の変化によって酸化酵素の活動を防ぐことができるということなどが実験によって裏付けられており、血管の変化としては、筋肉における毛細血管の分布が増加するに伴い、抹消血管が拡張されて血流増進に役立つ（大丘大学再活科学大学物理治療学科教授理学博士朴・レジュン−脈動電子場エネルギーの微細電流が家兎の傷治癒に及ぼす影響−大韓物理治療学会誌第１２券第３号）。
【０００８】
また、人間の成長は、細胞の増殖と肥大によって身体の大きさや身長が増加することを意味し、身長が成長するとは、骨と骨周りの筋肉が一緒に成長することを言う。ここで、人間の身長が成長することを、骨の側面からみると、脊髄と呼ばれる背骨と脚骨である長骨が最も大きな役割を果たす。
【０００９】
特に、脚骨の成長は、腦下垂体前葉から分泌される成長ホルモンが膝と足首の股関節にある骨端軟骨または成長板と呼ばれる部位を刺激することにより細胞分裂を引き起こして骨の生長し、これによる伸張がなされることである。
【００１０】
このような成長のためには、適当な運動を通じた成長板の適切な刺激がなされることが有効であることが広く知られており、実際に、縄跳び、バスケットボールなどのジャンプ動作による刺激は、成長板の細胞分裂の活性化による骨の成長を促進することができるということが広く知られている。
【００１１】
前記ジャンプ動作は、足の裏を通じた刺激、特に、かかとを通じた刺激が膝の成長板を刺激することにより行われ、これと併せて、足首関節の刺激によっても成長板の刺激がなされる。かような直接的な衝撃刺激による膝関節の成長板刺激の他にも、足首、特に、くるぶし辺りの物理的な指圧もまた身長の成長に役立つことが知られており、これは、東洋医学における反砂丘療法によるものである。
【００１２】
すなわち、足の各部位は、人体の内部の各機関と連結されて足の特定の部位を指圧することにより、人体の内部機関が影響を受け、前記くるぶしの辺りを刺激することにより、膝関節の成長板に刺激を与えて成長ホルモンの分泌を促進して成長に役立つことが知られており、足全体を通じた刺激、ストレッチングなどが身長の成長に役立つことが知られている。
【００１３】
特に、成長板と関連する足の部位としては、太衝、崑崙、太谿があり、太衝は、足首に向かって足の甲を押して遡ると拍動が感じられる部分（第１番目の足指と第２番目の足指とが当接する部分から２〜３ｃｍの上方）があるが、ここが太衝穴であって、成長ホルモンの分泌を促進して骨の成長に役立ち、過度なストレスによって成長ホルモンの分泌が低下した場合に、ここを刺激すればよいことが知られている。
【００１４】
また、崑崙は、外側のくるぶしの直ぐ後ろに凹んだ個所であり、ふくら脛骨と脛骨の下側の成長板と当接しており、この部位の成長に役立つことが知られており、また、足の内側のくるぶしの後部にある太谿は、手で触れたときに動脈の拍動が感じられる個所であり、崑崙と同様に、ふくら脛骨と脛骨と当接しているため、両手を用いてくるぶしの周りを軽く円を描きながらこすると、成長に役立つことが知られている。
【００１５】
このように足の裏の特定の部位の刺激、前記くるぶし辺りの指圧およびストレッチングなど足に加えられる適切な刺激が成長板を刺激して成長が促進され得ることが知られて以来、多くの装置が開発されて使用されている。
【００１６】
このため、大韓民国特許第６６９１２５号（登録日：２００７年０１月０９日）においては、数十〜数百μＡの大きさの微細電流または低周波を発生する電気刺激部材を履物に設けて成長板を刺激することによる身長の成長を促進する方案が開示されており、前記大韓民国特許第６６９１２５号に記載の、微細電流または低周波を発生するための電流発生装置は、３種類に分類される。
【００１７】
第一に、電源の供給のためのバッテリーと、前記バッテリーから供給される電気を数〜数百μＡの微細電流に変換させ、コンデンサー、抵抗、トランジスト、可変抵抗、スイッチなどの電子部品による電子回路から構成された微細電流発生源を備えてなるものであり、第二に、足首刺激部、かかと刺激部の端部に形成された電源発生点そのもの内部抵抗によって微細電流を発生するものであり、第三に、加えられる圧力に応じて電圧と微細電流が発生する圧電素子を用いたものである。
【００１８】
上述の第１番目の電流発生装置は、バッテリーと多数の電子部品とからなる微細電流発生源から構成されるものであり、バッテリーの寿命が尽きた場合に電気刺激部材の動作が止まることにより、身長成長の促進機能が得られないという問題点があり、特に、バッテリーそのものの寿命は極めて短いため、頻繁なバッテリーの交替によるメンテナンスコストが高くつくだけではなく、バッテリーの交替に必要とされる空間確保と電子部品の保護のための水密性を確保する必要があるため、実際に履物に適用するには、実用性および製作性の面で多くの問題点がある。
【００１９】
上述した第２番目の電流発生装置は、電源発生点そのものの内部抵抗によって微細電流を発生しているが、前記電源発生点そのものの内部抵抗によって生成される電流は、成長板の刺激のための数十〜数百μＡの範囲に全く至らない極めて微弱な電流が生成されることにより、身長成長促進の実効性を収めることができないという問題点がある。
【００２０】
上述した第３番目の電流発生装置は、加えられる圧力に応じて電圧と微細電流が発生される圧電素子を用いているが、前記圧電素子によって発生される電流および電圧の量は、基本的に、外部より加えられる外力によって比例的に増加するか、あるいは、材質、素子の大きさおよび形状に応じて異なり、電圧は、数ボルト〜数千ボルトの瞬間電圧の形成が可能であるものの、通常、電流の量は極微量である。
【００２１】
こんため、大韓民国特許第６６９１２５号においては、圧電素子に求められる微細電流を発生させるために、単層ではなく、数十〜数百層が積層された形状に製作して成長板の刺激のための適正な微細電流を生成しているが、この場合、圧電素子の製造コストが高騰し、これは、実際に履物の製造コストアップにつながるため、消費者の負担が増えてしまうという問題点がある。
【先行技術文献】
【特許文献】
【００２２】
【特許文献１】大韓民国特許第６６９１２５号
【発明の概要】
【発明が解決しようとする課題】
【００２３】
本発明は、上述した問題点を解消するために、内部が空いている所定の長さの長方形管または円柱状管の内部に磁石を組み込み、前記長方形管または円柱状管の外側面にコイルを巻き取り、このコイルの両先端部には刺激部材が接続されてなる微細電流刺激装置を提供することにより、人間が動いたり歩いたりして揺れが発生する場合に、可動磁石と固定コイルとが相まって微細電流と磁場を半永久的に発生することにより、簡単な構造であり、安価に製作可能であり、しかも、半永久的な寿命を有する他、メンテナンスコストが全くかからない微細電流刺激装置および微細電流刺激装置付き履物を提供することを技術的課題とする。
【００２４】
また、本発明は、上記の微細電流刺激装置を履物の甲皮に内蔵して、微細電流刺激装置から発生される微細電流と磁場の電気刺激を、人体の経穴および筋肉に同時に加えることにより、筋肉の収縮と弛緩の繰り返し作用によって運動効果を提供し、筋肉の乳酸を減少させて疲労をあまり感じさせず、酵素の変化によって酸化酵素の活動を防ぐことができるだけではなく、筋肉における毛細血管の分布が増加するに伴い、抹消血管が拡張されて血流増進はもとより、成長板の刺激を通じて身長成長の促進と活性化に寄与することのできる微細電流刺激装置付き履物を提供することを技術的課題とする。
【課題を解決するための手段】
【００２５】
内部に空間部が形成された長方形の胴体が配備され、前記空間部の内部には円板状の可動磁石が組み込まれ、前記胴体の外側面には前記可動磁石と相まって微細電流を発生するコイルが巻回され、前記胴体の両先端部には一方の側が閉止されて可動磁石の抜出を防ぐカバーが設けられ、前記コイルの両先端部には人体と接触されて微細電流刺激を加える刺激部材が設けられてなることを特徴とする。
【００２６】
また、本発明は、内部に空間部が形成された筒状の胴体が配備され、前記空間部の内部には円柱状の可動磁石が組み込まれ、前記胴体の外側面には前記可動磁石と相まって微細電流を発生するコイルが巻回され、前記胴体の両先端部には一方の側が閉止されて前記可動磁石の抜出を防ぐカバーが設けられ、前記カバーの一方の側内面には前記可動磁石の極性と同じ極性を有する固定磁石がそれぞれ設けられ、前記コイルの両先端部には人体と接触されて刺激を加える刺激部材が接続されてなることを特徴とする。
【００２７】
また、本発明は、内部に空間部が形成され、底面が閉止されている胴体が配備され、前記胴体の底面には両先端部が刺激部材と接続される第１のコイルが固設され、前記第１のコイルの上面には可動磁石が配設され、前記胴体の先端部の上側には前記磁石の抜出を防ぐカバーが設けられてなることを特徴とする。
【００２８】
本発明は、前記可動磁石とコイルとが相まって１０〜２００μＡの微細電流を発生することを特徴とする。
【００２９】
本発明における刺激部材は、０．０１〜０．５ｍｍ厚さの導電性材質からなる板状の導電性シートまたは０．０１〜０．５ｍｍ厚さの導電性材質からなる、繊維状に製織されてなる導電性網のうちのいずれか一つが配備され、前記導電性シートおよび導電性網の上面に人体の足の皮膚と接触される接触突起が突設されたことを特徴とする。
【００３０】
本発明は、内部に空間部が形成された筒状の胴体と、前記空間部の内部に組み込まれる円柱状の可動磁石と、前記胴体の外側面に設けられて前記可動磁石と相まって微細電流を発生するコイルと、前記胴体の両先端部に設けられて前記可動磁石の抜出を防ぐカバーと、前記カバーの一方の側内面にそれぞれ設けられて前記可動磁石の極性と同じ極性を有する固定磁石と、前記コイルの両先端部に設けられて人体に刺激を加える刺激部材とを備える微細電流刺激装置を備え、前記微細電流刺激装置の胴体は、履物の甲皮の内部の一方の側に設けられ、前記微細電流刺激装置の刺激部材は、人体の経穴および筋肉と接触可能な位置に表面が露出されるように甲皮に固設していることを特徴とする。
【００３１】
さらに、本発明は、内部に空間部が形成された長方形の胴体と、前記空間部の内部に組み込まれる円板状の可動磁石と、前記胴体の外側面に設けられて前記可動磁石と相まって微細電流を発生するコイルと、前記胴体の両先端部に設けられて可動磁石の抜出を防ぐカバーと、前記コイルの両先端部に設けられて人体に電気刺激を加える刺激部材と、を備える微細電流刺激装置が配備され、前記微細電流刺激装置の胴体は、履物の甲皮の一方の側の内部に設けられ、前記刺激部材は、人体の足の経穴および筋肉と接触可能な位置に表面が露出されるように甲皮に固設していることを特徴とする。
【００３２】
本発明は、内部に空間部が形成され、底面が閉止されている胴体が配備され、前記胴体の内部の底面には両先端部が刺激部材と接続される第１のコイルが固設され、前記第１のコイルの上面には可動磁石が配設され、前記胴体の先端部の上側には前記磁石の抜出を防ぐカバーが設けられてなる微細電流刺激装置を備え、前記微細電流刺激装置の胴体は、履物の甲皮の一方の側の内部に設けられ、前記微細電流刺激装置の刺激部材は、人体の経穴と筋肉に接触可能な位置に表面が露出されるように甲皮に固設していることを特徴とする。
【００３３】
本発明は、前記微細電流刺激装置の胴体は、前記甲皮のかかと部と、上側の仕上部および舌布部のうちのいずれかに選択的に設けられたことを特徴とし、前記微細電流刺激装置の刺激部材は、人体の足の経穴と筋肉に接触可能な位置に表面が露出されるように甲皮の内部に固設されることを特徴とする
【発明の効果】
【００３４】
本発明は、内部が空いている所定の長さの長方形管または円柱状管の内部に磁石を組み込み、前記長方形管または円柱状管の外側面にコイルを巻き取り、このコイルの両先端部には刺激部材が接続されてなる微細電流刺激装置を提供することにより、人間が動いたり歩いたりして揺れが発生する場合に、可動磁石と固定コイルとが相まって微細電流と磁場を半永久的に発生することにより、簡単な構造であり、安価に製作可能であり、しかも、半永久的な寿命を有する他、メンテナンスコストが全くかからないという効果がある。
【００３５】
また、本発明は、上記の微細電流刺激装置を履物の甲皮に内蔵して、微細電流刺激装置から発生される微細電流と磁場の電気刺激を、人体の経穴および筋肉に同時に加えることにより、筋肉の収縮と弛緩の繰り返し作用によって運動効果を提供し、筋肉の乳酸を減少させて疲労をあまり感じさせず、酵素の変化によって酸化酵素の活動を防ぐことができるだけではなく、筋肉における毛細血管の分布が増加するに伴い、抹消血管が拡張されて血流増進はもとより、成長板の刺激を通じて身長成長の促進と活性化に寄与することができるという効果がある。
【図面の簡単な説明】
【００３６】
【図１】本発明に係る微細電流刺激装置の一実施の形態を示す斜視図。
【図２】図１に示される微細電流刺激装置の分解斜視図。
【図３】図１に示される微細電流刺激装置のＡ−Ａ線およびＢ−Ｂ線断面図。
【図４】図１に示される微細電流刺激装置の動作状態図。
【図５】図１から図４に示される微細電流刺激装置を履物に設けた状態の断面図。
【図６】図１から図４に示される微細電流刺激装置を履物に設けた状態の断面図。
【図７】本発明に係る微細電流刺激装置の他の実施形態を示す斜視図。
【図８】図７に示される微細電流刺激装置の分解斜視図。
【図９】図７に示される微細電流刺激装置のＣ−Ｃ線およびＤ−Ｄ線断面図。
【図１０】図７に示される微細電流刺激装置の動作状態図。
【図１１】図７から図１０に示される微細電流刺激装置を履物に設けた状態の断面図。
【図１２】図１から図４および図７から図１０に示される微細電流刺激装置における胴体の他の実施形態を示す断面図。
【図１３】（イ）、（ロ）は、本発明に係る微細電流刺激装置のさらに他の実施形態を示す分解斜視図および断面図。
【図１４】（イ）、（ロ）は、図１３に示される微細電流刺激装置における他の実施形態を示す分解斜視図および断面図。
【図１５】本発明に係る微細電流刺激装置における刺激部材の他の実施形態を示す斜視図および断面図。
【図１６】本発明に係る微細電流刺激装置における刺激部材の他の実施形態を示す斜視図および断面図。
【発明を実施するための形態】
【００３７】
以下、添付図面に基づき、本発明に係る微細電流刺激装置および微細電流刺激装置付き履物を詳述する。
【００３８】
図１は、本発明に係る微細電流刺激装置の一実施の形態を示す斜視図であり、図２は、図１に示される微細電流刺激装置の分解斜視図であり、図３は、図１に示される微細電流刺激装置のＡ−Ａ線およびＢ−Ｂ線断面図であり、図４は、図１に示される微細電流刺激装置の動作状態図である。
【００３９】
すなわち、内部は空間部１６ａ−１が形成され、幅よりも高さの方が大きな長方形の胴体１６ａが配備され、前記胴体１６ａに形成された空間部１６ａ−１の内部には円板状の可動磁石１５ａが組み込まれ、前記胴体１６ａの外側面には可動磁石１５ａと相まって微細電流と磁場を発生するコイル１７が巻回される。
【００４０】
また、前記胴体１６ａの両先端部には、一方の側が閉止されて可動磁石１５ａの抜出を防ぐカバー１１、１２が組み付けられ、前記コイル１７の両先端部には人体の経穴と筋肉と接触されて刺激を加える刺激部材１８、１９が接続されている。
【００４１】
図５および図６は、図１から図４に示される本発明に係る一実施の形態の微細電流刺激装置１０を履物２０に設けた状態の断面図であり、前記微細電流刺激装置１０は、図５に示すように、履物２０のかかと辺りの側面の甲皮２１の内部に胴体１６ａを地面と水平に設けるか、あるいは、図６に示すように、甲皮２１の上側仕上部２２の内部に胴体１６ａを地面と水平に設ける。
【００４２】
また、人体の経穴と筋肉と接触される刺激部材１８、１９は、図５および図６に示すように、人体の成長板と当接しているくるぶし（内側のくるぶしおよび外側のくるぶし）のかかと骨の上の脈動する凹んだ個所（太谿および崑崙）または太衝に接触可能な位置に表面が露出されるように甲皮２１に固設される。
【００４３】
ここで、前記刺激部材１８、１９は、甲皮２１と縫合可能であり、人体への接触時に皮膚に損傷を与えない導電性材質を用いることが好ましい。
【００４４】
このような構造を有する本発明の一実施の形態に係る微細電流刺激装置１０を履物２０に取り付けた状態における電流刺激の過程を説明すれば、下記の通りである。
【００４５】
まず、ユーザーが履物２０を履くと、刺激部材１８、１９が成長板と当接している太谿および崑崙（または、太衝）に接触する。
【００４６】
この状態において、図３に示されるように、ユーザーが移動中または歩行中ではない場合には、胴体１６ａに組み込まれた可動磁石１５ａは動かずに静止状態を維持することにより、コイル１７は微細電流を発生しなくなる。
【００４７】
しかしながら、ユーザーが動いたり歩いたりして、図４に示すように、胴体１６ａと地面との間に傾斜が発生した場合、その発生した傾斜角によって可動磁石１５ａが胴体１６ａの内部に形成された空間部１６ａ−１内において前後動することとなる。
【００４８】
このとき、前記可動磁石１５ａが胴体１６ａの内部に形成された空間部１６ａ−１内において動くことにより、胴体１６ａの外側面に巻回されたコイル１７に誘導電流と磁場が発生し、この発生された誘導電流、すなわち、微細電流は刺激部材１８、１９に伝わるとともに、磁場が周りに加えられることにより、前記刺激部材１８、１９を介して成長板と当接している太谿および崑崙または太衝に微細電流刺激を加えることとなる。
【００４９】
図７は、本発明の他の実施形態に係る微細電流刺激装置の斜視図であり、図８は、図７に示される他の実施形態の微細電流刺激装置の分解斜視図であり、図９は、図７に示される他の実施形態の微細電流刺激装置のＣ−Ｃ線およびＤ−Ｄ線断面図であり、図１０は、図７に示される他の実施形態の微細電流刺激装置の動作状態図である。
【００５０】
すなわち、内部は空間部１６ｂ−１が形成された筒状の胴体１６ｂが配備され、前記胴体１６ｂの内部に形成された空間部１６ｂ−１には円柱状の可動磁石１５ｂが組み込まれ、前記胴体１６ｂの外側面には可動磁石１５ｂと相まって微細電流を発生するコイル１７が巻回される。
【００５１】
また、前記胴体１６ｂの両先端部には、一方の側が閉止されて可動磁石１５ｂの抜出を防ぐカバー１１、１２が組み付けられ、このカバー１１、１２の一方の側の内面には前記可動磁石１５ｂの極性と同じ極性を有する固定磁石１３、１４がそれぞれ設けられ、前記コイル１７の両先端部には人体と接触されて刺激を加える刺激部材１８、１９が接続されている。
【００５２】
ここで、前記固定磁石１３、１４のガウス値は、可動磁石１５ｂのガウス値よりも極めて小さい必要がある。その理由は、固定磁石１３、１４のガウス値が可動磁石１５ｂのガウス値よりも大きな場合に、前記可動磁石１５ｂの上下動距離が短くなって所望の微細電流が得られないためである。
【００５３】
また、前記可動磁石１５ｂの先端部に対応する固定磁石１３、１４の極性は互いに同じ極性を有して反発力が作用して、衝撃が加えられない場合には可動磁石１５ｂが固定磁石１３、１４との反発作用によって可動磁石１５ｂが空間部１６ｂ−１の内部に浮き上がって動かない静止状態を維持することとなり、衝撃が加えられる場合にはその衝撃によって引力と反発力との間に不均衡が生じることにより、前記可動磁石１５ｂが胴体１６ｂの内部に形成された空間部１６ｂ−１内において上下動することとなる。
【００５４】
図１１は、図７から図１０に示される本発明の他の実施形態に係る微細電流刺激装置１０を履物２０に設けた状態の断面図であり、前記微細電流刺激装置１０は、図１１に示すように、履物２０のかかと辺りの側面の甲皮２１の内部に胴体１６ａを地面と垂直に設け、前記刺激部材１８、１９は、人体の成長板と当接している太谿と崑崙（または、太衝）に接触可能な位置に表面が露出されるように甲皮２１に固設される。
【００５５】
このような構造を有する本発明の他の実施形態に係る微細電流刺激装置１０を履物２０に取り付けた状態における電気刺激過程を説明すれば、下記の通りである。
【００５６】
まず、ユーザーが履物２０を履くと、刺激部材１８、１９が成長板と当接している足の経穴である太谿および崑崙に接触する。
【００５７】
この状態において、図９の（イ）に示されるように、ユーザーが移動中または歩行中ではない場合には、胴体１６ａの内部に組み込まれた可動磁石１５ｂは、固定磁石１３、１４によって互いに引力と反発力が作用して、空間部１６ｂ−１の内部に浮き上がっている静止状態を保つことにより、コイル１７においては微細電流がほとんど発生しなくなる。
【００５８】
しかしながら、歩行がなされる場合には、ユーザーの体重が地面に伝わって衝撃が発生し、この衝撃が微細電流刺激装置１０に伝わることにより、固定磁石１３、１４と可動磁石１５ｂとの間に形成された引力と反発力との間に不均衡が生じることにより、前記可動磁石１５ｂが胴体１６ｂの内部に形成された空間部１６ｂ−１内において上下動することとなる。
【００５９】
このとき、前記可動磁石１５ｂが胴体１６ｂの内部に形成された空間部１６ｂ−１内において上下動することにより、胴体１６ｂの外側面に巻回されたコイル１７に誘導電流と磁場が発生し、この発生された誘導電流、すなわち、微細電流は、刺激部材１８、１９に伝わり、前記刺激部材１８、１９を介して成長板と当接している太谿および崑崙、筋肉などに印加するとともに、磁場が周辺に加えられることにより、電気的な刺激を加えることとなる。
【００６０】
図１２は、図１から図４および図７から図１０に示される微細電流刺激装置１０における胴体１６ａ、１６ｂの他の実施形態を示すものであり、図１２の（イ）は、前記胴体１６ａ、１６ｂの一方の側の一部の面に段差部１６ｄを形成することによって凹溝部１６ｃを形成したものであり、図１２の（ロ）は、前記胴体１６ａ、１６ｂの一方の側の全面に段差部１６ｄを形成して凹溝部１６ｃを形成することにより、コイル１７が胴体１６ａ、１６ｂから滑り込んで外されることを防いでいる。
【００６１】
図１３の（イ）、（ロ）は、本発明のさらに他の実施形態に係る微細電流刺激装置の分解斜視図および断面図であり、内部に空間部が形成され、底面が閉止されている胴体４１が配備され、この胴体４１の底面には所定の厚さに巻き取られて両先端部には刺激部材１８、１９が接続される第１のコイル４２が固設され、前記第１のコイル４２の上面には可動磁石４３が配設され、胴体４１の先端部の上側には前記磁石４３の抜出を防ぐカバー４４が設けられている構造となっている。
【００６２】
ここで、前記可動磁石４３は、左右動自在に第１のコイル４２とカバー４４の内面との間に適切な空間部４７を有する。
【００６３】
上述の構造を有する本発明の他の実施形態に係る微細電流刺激装置１０は、履物２０のかかと辺りの側面の甲皮２１の内部または舌布の内部に設けた状態において、ユーザーが移動中または歩行中ではない場合には、可動磁石４３が、微細電流刺激装置１０の傾斜が発生せず、第１のコイル４２上において前後動しないことにより、第１のコイル４２においては微細電流がほとんど発生しなくなる。
【００６４】
しかしながら、ユーザーが動いたり歩いたりして微細電流刺激装置１０と地面との間に傾斜が発生した場合、その発生した傾斜角によって可動磁石４３が胴体４１の内部に形成された空間部４７内において前後動することとなる。
【００６５】
このとき、前記可動磁石４３が第１のコイル４２の上面上において左右動すれば、第１のコイル４２に誘導電流と磁場が発生し、この発生した誘導電流、すなわち、微細電流は、図示しない刺激部材１８、１９に伝わると共に、磁場が周辺に加えられることにより、前記刺激部材１８、１９を介して成長板と当接している太谿および崑崙または太衝、並びに筋肉などに微細電流刺激を加えることとなる。
【００６６】
図１４の（イ）、（ロ）は、図１３に示される微細電流刺激装置の他の実施形態を示す分解斜視図および断面図であり、内部に空間部が形成され、底面が閉止されている胴体４１が配備され、この胴体４１の底面には所定の厚さで巻き取られて両先端部には刺激部材１８、１９が接続される第１のコイル４２が固設され、前記第１のコイル４２の上面には可動磁石４３が配設され、胴体４１の先端部の上側には前記磁石４３の抜出を防ぐカバー４４が設けられ、このカバー４４の内側面には第２のコイル４５が固設される構造となっている。
【００６７】
ここで、前記可動磁石４３は、第１のコイル４２と第２のコイル４５との間において左右動自在に適正な空間部４７を有する。
【００６８】
上記の構成を有する本発明の他の実施形態に係る微細電流刺激装置１０は、履物２０のかかと辺りの側面の甲皮２１の内部または舌布の内部に設けた状態において、ユーザーが移動中または歩行中ではない場合には、微細電流刺激装置１０には傾斜が発生せず、可動磁石４３が第１および第２のコイル４２、４５の間の空間部４７内において前後動せず、その結果、第１及び第２のコイル４２、４５においては微細電流がほとんど発生しなくなる。
【００６９】
しかしながら、ユーザーが動いたり歩いたりして微細電流刺激装置１０と地面との間に傾斜が発生した場合、その発生した傾斜角によって可動磁石４３が胴体４１の内部に形成された空間部４７内において前後動することとなる。
【００７０】
このとき、前記可動磁石４３が第１及び第２のコイル４２、４５の間において左右動すれば、第１及び第２のコイル４２、４５から同時に誘導電流と磁場が発生し、この発生した誘導電流、すなわち、微細電流は、図示しない刺激部材１８、１９に伝わると共に、磁場が周辺に加えられることにより、前記刺激部材１８、１９を介して成長板と当接している太谿および崑崙または太衝、並びに筋肉などに微細電流刺激を加えることとなる。
【００７１】
このため、図１４に示す実施形態においては、可動磁石４３が第１及び第２のコイル４２、４５の間において動くことにより、図１３に示す実施形態よりも微細電流および磁場が一層多く生成可能になる。
【００７２】
本発明の図１から図４に示される一実施の形態に係る微細電流刺激装置１０と、図７から図１０に示される他の実施形態に係る微細電流刺激装置１０と、図１３および図１４に示されるさらに他の実施形態に係る微細電流刺激装置１０は、説明の便宜上、履物２０のかかと辺りの一方の側面に設けることを例示しているが、前記微細電流刺激装置１０の設置位置には特に制限がなく、必要に応じて、前部または中底、甲皮の舌布の内部に設けてもよい。
【００７３】
また、本発明の図１から図４に示される一実施の形態に係る微細電流刺激装置１０と、図７から図１０に示される他の実施形態に係る微細電流刺激装置１０と、図１３および図１４に示されるさらに他の実施形態に係る微細電流刺激装置１０とから発生される微細電流は、人体の経穴と筋肉を刺激することによる筋肉の収縮と弛緩の繰り返し作用によって運動効果を提供し、筋肉の乳酸を減少させて疲労をあまり感じさせず、酵素の変化によって酸化酵素活動を防ぐことができるだけではなく、筋肉における毛細血管の分布が増加することに伴い抹消血管が拡張されて、血流増進はもとより、成長板の刺激を通じて身長成長の促進できるように数十〜数百μＡが出力される必要があり、前記可動磁石１５ａ、１５ｂ、４３のガウス値とコイル１７、４２、４５の巻き数を調節して所望の微細電流が得られる。
【００７４】
一般に、人体筋肉の収縮と弛緩の繰り返し作用によって運動効果を提供し、筋肉の乳酸を減少させて疲労をあまり感じさせず、酵素の変化によって酸化酵素の活動を防ぎ、筋肉における毛細血管の分布増加によって抹消血管が拡張されて血流増進を期待することができ、人体の成長板を刺激することによって身長成長を促進可能な好適な  微細電流は、約１０〜２００μＡであって、前記可動磁石１５ａ、１５ｂ、４３は、５００〜３，０００ガウス、コイル１７、４２、４５は、５００〜２，０００巻である場合に本発明の微細電流刺激装置１０から１０〜２００μＡの範囲の微細電流が発生することを実験結果を通じて確認することができた。
【００７５】
ここで、可動磁石１５ａ、１５ｂ、４３のガウス値と、コイル１７、４２、４５の巻き数は、所望の微細電流の発生度によるため、その範囲に特に制限はない。
【００７６】
特に、図１から図４に示される実施形態に係る微細電流刺激装置１０と、図７から図１０に示される他の実施形態に係る微細電流刺激装置１０と、図１３および図１４に示されるさらに他の実施形態に係る微細電流刺激装置１０は、歩行の速度が速いか、あるいは、ジョギングなどによって履物２０と地面との衝撃が大きくなるほど、可動磁石１５ａ、１５ｂ、４３の可動範囲が大きくなり、移動速度が速まることにより、微細電流と磁場の値は一層高く出力されて筋肉の乳酸減少などの効果は極大化され得る。
【００７７】
図１５および図１６は、本発明に係る微細電流刺激装置１０における刺激部材１８、１９の他の実施形態を示す斜視図および断面図であり、広い部位を同時に刺激することができる。
【００７８】
すなわち、図１５の（イ）、（ロ）に示すように、０．０１〜０．５ｍｍ厚さの導電性材質からなる板状の導電性シート５１が配備され、前記導電性シート５１の上面に足の経穴および皮膚に接触される接触突起５２が突設された構造となっている。
【００７９】
また、図１６に示すように、０．０１〜０．５ｍｍ厚さの導電性材質からなる、繊維状に製織されてなる導電性網５３が配備され、前記導電性網５３の上面に人体の足の経穴および皮膚と接触される接触突起５２が突設された構造となっている。
【００８０】
前記導電性シート５１および導電性網５３の材質としては、電気抵抗値が極めて小さな金、銀、銅などが使用可能であるが、経済的な側面から、銅を使用することが好ましく、その種類は問わず、前記導電性シート５１および導電性網５３に形成された接触突起５２は、底面のプレス作業によって形成する。
【００８１】
このように、図１５および図１６に示される他の実施形態に係る刺激部材１８、１９は、履物の甲皮および舌布の内部に組み込んだり縫着し、このとき、前記接触突起５２は外部に露出させて広い面積の人体の足の皮膚に同時多発的に微細電流刺激と磁場が加えられて効率性を高められるだけではなく、縫着可能であるというメリットがあるため、様々な品目に適用可能である。
【００８２】
ここで、前記導電性シート５１および導電性網５３は、厚さ０．０１ｍｍ未満に形成する場合、履物２０の洗濯時に引きちぎれるといった破損が懸念され、厚さ０．５ｍｍ以上に形成する場合、値段が上がると共に荷重が増大して柔軟性が低下する結果、人体に損傷を与えてしまうという不都合があるため、０．０１〜０．５ｍｍの範囲の厚さを有することが好ましい。
【００８３】
上述したように、本発明は、人間が動いたり歩いたりして揺れが発生する場合、可動磁石と固定コイルとが相まって微細電流と磁場を半永久的に発生する微細電流刺激装置を提供する一方で、前記微細電流刺激装置を履物に設けて筋肉の収縮と弛緩の繰り返し作用により運動効果を提供し、筋肉の乳酸を低減させて疲労をあまり感じさせず、酵素の変化によって酸化酵素活動を防ぐことができるだけではなく、筋肉における毛細血管の分布が増大するに伴い抹消血管が拡張されて血流増進に役立ち、微細電流刺激による成長板を刺激して身長成長の促進および活性化に寄与することができる。
【産業上の利用可能性】
【００８４】
本発明は、履物に微細電流刺激装置を設けて筋肉の収縮と弛緩作用により運動効果を提供し、筋肉の乳酸を低減させて疲労をあまり感じさせず、酵素の変化によって酸化酵素活動を防ぐことができるだけではなく、筋肉における毛細血管の分布が増大するに伴い抹消血管が拡張されて血流増進に役立ち、微細電流刺激による成長板を刺激して身長成長の促進および活性化に寄与することができる。
【符号の説明】
【００８５】
１０：微細電流刺激装置、
１１、１２：カバー、
１３、１４：固定磁石、
１５ａ、１５ｂ：可動磁石、
１６ａ、１６ｂ：胴体、
１６ｃ：凹溝部、
１６ｄ：段差部、
１７：コイル、
１８、１９：刺激部材、
２０：履物、
２１：甲皮、
２２：仕上部、
４１：胴体、
４２：第１のコイル、
４３：可動磁石、
４４：カバー、
４５：第２のコイル、
４７：空間部、
５１：導電性シート、
５２：接触突起、
５３：導電性網、
【図１】
2013500760.tif 000003
【図２】
2013500760.tif 000004
【図３】
2013500760.tif 000005
【図４】
2013500760.tif 000006
【図５】
2013500760.tif 000007
【図６】
2013500760.tif 000008
【図７】
2013500760.tif 000009
【図８】
2013500760.tif 000010
【図９】
2013500760.tif 000011
【図１０】
2013500760.tif 000012
【図１１】
2013500760.tif 000013
【図１２】
2013500760.tif 000014
【図１３】
2013500760.tif 000015
【図１４】
2013500760.tif 000016
【図１５】
2013500760.tif 000017
【図１６】
2013500760.tif 000018
【国際調査報告】
2013500760.tif 000019
2013500760.tif 000020
2013500760.tif 000021
2013500760.tif 000022